(57)【要約】  筐体に設けられて被写体を撮像する撮像部と、撮像操作を入力する操作入力部と、前記撮像操作が入力された場合に、前記撮像部による撮像を実行するように指示する第１指示部と、前記撮像操作以外の契機に基づいて前記撮像部による撮像を実行するように指示する第２指示部と、前記筐体の状態に基づいて、前記第１指示部による指示と、前記第２指示部による指示とのうち、いずれか一方の指示を抑制すべく制御する制御部とを備える撮像装置。
2014136521.tif 000002
【特許請求の範囲】
【請求項１】
筐体と、
前記筐体に設けられて、被写体を撮像する撮像部と、
撮像操作を入力する操作入力部と、
前記操作入力部によって撮像操作が入力された場合に、前記撮像部による撮像を実行するように指示する第１指示部と、
前記撮像操作以外の契機に基づいて、前記撮像部による撮像を実行するように指示する第２指示部と、
前記筐体の状態に基づいて、前記第１指示部による指示と、前記第２指示部による指示とのうち、いずれか一方の指示を抑制すべく制御する制御部と
を備える撮像装置。
【請求項２】
前記筐体は、開閉可能な少なくとも二つを有し、
前記制御部は、前記筐体の状態としての開閉状態に基づいて、前記第２指示部による指示を抑制するか否かを制御する
請求項１に記載の撮像装置。
【請求項３】
前記制御部は、前記筐体の状態として、所定の角度で開状態にある場合に、前記第２指示部による指示を抑制しないように制御する
請求項２に記載の撮像装置。
【請求項４】
前記撮像装置の接地状態を検出する接地検出部
を更に備え、
前記制御部は、前記筐体の状態として、前記所定の角度で開状態にあり、かつ、前記接地検出部により前記筐体の所定の接地状態を検出した場合に、前記第２指示部による指示を抑制しないように制御する
請求項３に記載の撮像装置。
【請求項５】
前記制御部は、前記筐体の状態として、閉状態にある場合に、前記第２指示部による指示を抑制するように制御する
請求項２に記載の撮像装置。
【請求項６】
前記制御部は、前記第２指示部による指示を抑制しないように制御した場合には、前記第１指示部による指示を抑制するように制御する
請求項１から４のいずれか一項に記載の撮像装置。
【請求項７】
被写体の動きを検出する動き検出部
を更に備え、
前記第２指示部は、前記動き検出部によって、前記被写体の所定の動きを検出した場合に、前記撮像部による撮像を実行するように指示する
請求項１〜４および６のいずれか一項に記載の撮像装置。
【請求項８】
計時部
を更に備え、
前記第２指示部は、前記計時部によって所定時間が経過したことを検出した場合に、前記撮像部による撮像を実行するように指示する
請求項１〜４、６、および７のいずれか一項に記載の撮像装置。
【請求項９】
被写体の表情を検出する表情検出部
を更に備え、
前記第２指示部は、前記表情検出部によって、前記被写体の所定の表情を検出した場合に、前記撮像部による撮像を実行するように指示する
請求項１〜４、および、６〜８のいずれか一項に記載の撮像装置。
【請求項１０】
被写体を特定する被写体特定部
を更に備え、
前記第２指示部は、前記被写体特定部によって、所定の前記被写体を特定した場合に、前記撮像部による撮像を実行するように指示する
請求項１〜４、および、６〜９のいずれか一項に記載の撮像装置。
【請求項１１】
開閉可能な少なくとも二つの筐体を含み、前記筐体のそれぞれには、前記筐体が閉状態になったときに外側になる面に表示部を備え、
前記撮像部は、前記外側になる面のいずれか一方、および、前記閉状態になったときに内側になる面のいずれか一方に備えられる
請求項１から１０のいずれか一項に記載の撮像装置。
【請求項１２】
前記撮像部によって撮像される画像を前記表示部に表示するように制御する表示制御部
を更に備え、
前記表示制御部は、前記表示部に、前記撮像部によって撮像される画像が鏡像表示されるように制御する
請求項１１に記載の撮像装置。
【請求項１３】
前記表示制御部は、前記操作入力部によって前記表示部のいずれかを指示する操作が入力された場合に、前記撮像部によって撮像される前記画像の前記表示部への表示の切り替えを制御する
請求項１２に記載の撮像装置。
【請求項１４】
操作入力部によって撮像操作が入力された場合に、撮像部による撮像を実行するように指示する第１指示段階と、
前記撮像操作以外の契機に基づいて、前記撮像部による撮像を実行するように指示する第２指示段階と、
筐体の状態に基づいて、前記第１指示段階による指示と、前記第２指示段階による指示とのうち、いずれか一方の指示を抑制すべく制御する制御段階と
を備える撮像方法。
【請求項１５】
コンピュータを、
操作入力部によって撮像操作が入力された場合に、撮像部による撮像を実行するように指示する第１指示部、
前記撮像操作以外の契機に基づいて、前記撮像部による撮像を実行するように指示する第２指示部、
筐体の状態に基づいて、前記第１指示部による指示と、前記第２指示部による指示とのうち、いずれか一方の指示を抑制すべく制御する制御部
として機能させるプログラム。
【発明の詳細な説明】
【技術分野】
【０００１】
本発明は、撮像装置、撮像方法及びプログラムに関する。
【背景技術】
【０００２】
カメラ付き携帯電話やカメラ付き携帯情報端末等で、折りたためる形式の携帯撮像機が普及している。
【０００３】
このような背景に関連する技術としては、様々なものが知られている（例えば、特許文献１参照。）。
【０００４】
例えば、特許文献１には、被写体を撮影する光学系を備えた撮像手段を有し、キー操作部側本体と表示部側本体とをヒンジ部で折りたためる構造とした折りたたみ式携帯撮像機が記載されている。
より具体的に説明すると、この折りたたみ式携帯撮像機は、キー操作部側本体と表示部側本体とを相対回転させて所定範囲の開閉角度を形成させた状態で保持された場合には、撮像手段の撮影モードが自動でセルフタイマーモードに設定される。このようにして、この折りたたみ式携帯撮像機によっては、セルフタイマー撮影をしたいときに、キー操作部側本体と表示部側本体とを所定範囲の開閉角度を形成させて保持させるだけで済むので、折りたたみ式携帯撮像機のモードメニューでその都度セルフタイマーモードに設定する手間が省ける。
【０００５】
また、近年、笑顔を検出してレリーズ動作（シャッターボタンを押さずに撮影する動作）を行うデジタルカメラが普及している。
【０００６】
このような背景に関連する技術としては、様々なもの  が知られている（例えば、特許文献２参照。）。
【０００７】
例えば、特許文献２には、静止画や動画の撮影が可能なデジタルカメラ等の撮像装置が記載されている。
より具体的に説明すると、被写体の顔領域のデータと、抽出した特徴点と、設定されたトリガー情報とを検出する。そして、この撮像装置は、検出した情報に基づき、バッファメモリのスルー画像(シャッターを押す前の画像）からレリーズの契機となる被写体の表情又はジェスチャーを検出する制御部を有する。そして、この撮像装置によっては、フェイス・アドバンスド・モードで撮影を行うと、トリガー情報に基づきスルー画像からレリーズの契機となる被写体の表情又はジェスチャーを検出すると本撮影を自動的に実行する。
従って、この撮像装置によっては、撮影シーンや撮影モードにマッチした被写体の表情又は被写体のジェスチャーを、手間無く、簡単に、撮影することができる。
【０００８】
また、パソコンや携帯電話機、テレビジョン受像機等の情報処理機器は、液晶ディスプレイ等の表示部と、所定の操作内容や文字を入力するためのキーボード、ボタン、リモコン、マウス又はタッチパネル等の入力部とによって構成されている。
【０００９】
このような背景に関連する技術としては、様々なものが知られている（例えば、特許文献３参照。）。
【００１０】
例えば、特許文献３には、ジェスチャーにより操作可能な情報処理機器を用いて行う情報処理方法が記載されている。
より具体的に説明すると、鏡像化処理部により、形状判定したジェスチャー対象の映像について外形を切り出し、ジェスチャー対象の映像を鏡像化処理する。そして、ジェスチャー表示制御部により、鏡像化処理されたジェスチャー対象を表示する。
このように、この撮像装置によっては、ジェスチャー対象のカメラ位置に対するジェスチャー開始位置を知ることができ、ユーザは、どのようにジェスチャー機能を行えば、意図したコマンドにつながるかを学習できる。そして、この撮像装置によっては、実際にジェスチャー機能を行えば軌跡が描画されるので、ユーザは、機器側のジェスチャー受け取り状況を確認しつつ所望のコマンド入力までを完遂できる。これにより、この撮像装置によっては、ユーザのジェスチャー入力への不安を解消できる。
【先行技術文献】
【特許文献】
【００１１】
【特許文献１】特開２００４−３３６５１４号公報
【特許文献２】特開２０１０−２７３２８０号公報
【特許文献３】特開２０１１−１１８７２５号公報
【発明の概要】
【発明が解決しようとする課題】
【００１２】
特許文献１に記載の技術によっては、第一筐体に対する第二筐体の開閉角度が４５度から１３５度の範囲内にあるときにのみセルフタイマーモードを設定することにより、撮影のミスを防止することができる。しかしながら、特許文献１に記載の技術は、撮影シーンや撮影モードに応じた被写体の表情又はジェスチャーを検出したときに当該の撮影を行うことができない。
【００１３】
特許文献２に記載の技術は、被写体が撮像装置から離れた位置にいても撮像できるという利点があるものの、被写体が所定のジェスチャーと似た動きを意図せずにしてしまった場合に撮像してしまう。そのため、特許文献２に記載の技術では、被写体の所定のジェスチャー機能を利用するか否かをユーザの操作によって切り替えており、その操作が煩雑である。
【００１４】
特許文献３に記載の技術は、ユーザのジェスチャー入力への不安を解消できるものの、被写体の所定のジェスチャー機能を利用するか否かをユーザの操作によって切り替えているために煩雑な操作を行うことになる。
【００１５】
本発明の目的は、上述した課題を解決する撮像装置、撮像方法及びプログラムを提供することにある。
【課題を解決するための手段】
【００１６】
上記課題を解決するために、本発明は、筐体と、筐体に設けられて、被写体を撮像する撮像部と、操作を入力する操作入力部と、操作入力部によって撮像操作が入力された場合に、撮像部による撮像を実行するように指示する第１指示部と、撮像操作以外の契機に基づいて、撮像部による撮像を実行するように指示する第２指示部と、筐体の状態に基づいて、第１指示部による指示と、第２指示部による指示とのうち、いずれか一方の指示を抑制すべく制御する制御部とを備える撮像装置を提供する。
【００１７】
本発明はまた、操作入力部によって撮像操作が入力された場合に、撮像部による撮像を実行するように指示する第１指示段階と、撮像操作以外の契機に基づいて、撮像部による撮像を実行するように指示する第２指示段階と、筐体の状態に基づいて、第１指示段階による指示と、第２指示段階による指示とのうち、いずれか一方の指示を抑制すべく制御する制御段階とを備える撮像方法も提供する。
【００１８】
本発明はまた、コンピュータを、操作入力部によって撮像操作が入力された場合に、撮像部による撮像を実行するように指示する第１指示部、撮像操作以外の契機に基づいて、撮像部による撮像を実行するように指示する第２指示部、筐体の状態に基づいて、第１指示部による指示と、第２指示部による指示とのうち、いずれか一方の指示を抑制すべく制御する制御部として機能させるプログラムも提供する。
【００１９】
なお、上記の発明の概要は、本発明の必要な特徴の全てを列挙したものではない。また、これらの特徴群のサブコンビネーションもまた、本発明となり得る。
【発明の効果】
【００２０】
以上の説明から明らかなように、この発明によっては、ユーザによる煩雑な操作を回避して、適切な撮像制御を行うことができる。
【図面の簡単な説明】
【００２１】
【図１】本発明の一実施形態に係るスマートフォン１００のブロック構成の一例を示す図である。
【図２】スマートフォン１００の平面図である。
【図３】スマートフォン１００の底面図である。
【図４】スマートフォン１００における一使用状態の外観斜視図である。
【図５】スマートフォン１００による第１の撮像方法の一例を示す図である。
【図６】スマートフォン１００による第２の撮像方法の一例を示す図である。
【図７】スマートフォン１００による第３の撮像方法の一例を示す図である。
【図８】スマートフォン１００による第４の撮像方法の一例を示す図である。
【図９】スマートフォン１００による第５の撮像方法の一例を示す図である。
【図１０】スマートフォン１００による第６の撮像方法の一例を示す図である。
【図１１】スマートフォン１００による第７の撮像方法の一例を示す図である。
【図１２】スマートフォン１００による第８の撮像方法の一例を示す図である。
【図１３】スマートフォン１００の制御動作を説明するフローチャートである。
【図１４】同様に、スマートフォン１００の制御動作を説明するフローチャートである。
【図１５】スマートフォン１００の最小構成の一例を示す図である。
【発明を実施するための形態】
【００２２】
以下、発明の実施の形態を通じて本発明を説明するが、以下の実施形態は請求の範囲にかかる発明を限定するものではなく、また、実施形態の中で説明されている特徴の組み合わせの全てが発明の解決手段に必須であるとは限らない。
【００２３】
図１は、本発明の一実施形態に係るスマートフォン１００のブロック構成の一例を示す。ここで、スマートフォン１００とは、個人用の携帯コンピュータの機能を併せ持った携帯電話である。なお、スマートフォン１００は、この発明における「撮像装置」の一例である。
【００２４】
スマートフォン１００は、第１筐体１２、第２筐体１３、操作入力部１４、第１指示部１５、第２指示部１６、撮像部１７、動き検出部１８、計時部１９、表情検出部２０、被写体特定部２１、接地検出部２２、第１表示部２３、第２表示部２４、表示制御部２５、制御部２６を備える。
【００２５】
第１筐体１２は、第１表示部２３を備え、第２筐体１３は、第１筐体１２に対して開閉可能であって、第２表示部２４を備える。
第１表示部２３、第２表示部２４は、第１筐体１２及び第２筐体１３の閉状態において外側になる面に備えられている。
操作入力部１４は、第１表示部２３に表示されて、ユーザの操作をスマートフォン１００に入力する。
【００２６】
第１指示部１５は、操作入力部１４によって（ユーザによる）撮像操作が入力された場合に、撮像部１７による撮像を実行するように指示する。
第２指示部１６は、上記撮像操作以外の契機に基づいて、撮像部１７による撮像を実行するように指示する。
具体的には、第２指示部１６は、動き検出部１８によって、被写体の所定の動きを検出した場合に、撮像部１７による撮像を実行するように指示する。また、第２指示部１６は、計時部１９によって所定時間が経過した場合に、撮像部１７による撮像を実行するように指示する。更にまた、第２指示部１６は、表情検出部２０によって、被写体の所定の表情を検出した場合に、撮像部１７による撮像を実行するように指示する。第２指示部１６は、被写体特定部２１によって、所定の被写体を特定した場合にも、撮像部１７による撮像を実行するように指示する。
【００２７】
撮像部１７は、第１筐体１２及び第２筐体１３の、閉状態になったときに外側になる面の一方、および、この閉状態になったときに内側になる面の一方に備えられている。
動き検出部１８は、被写体の動きを検出する。
計時部１９は、経過時間を測定するタイマーである。
表情検出部２０は、被写体の表情を検出する。
被写体特定部２１は、被写体を特定する。
接地検出部２２は、スマートフォン１００の接地状態を検出する。
表示制御部２５は、撮像部１７によって撮像される画像を第１表示部２３または第２表示部２４に表示するように制御する。
具体的には、表示制御部２５は、操作入力部１４によって、表示先として第１表示部２３または第２表示部２４を指示する操作が入力された場合に、撮像部１７によって撮像される画像の表示部２３または２４への表示の切り替えを制御する。
表示制御部２５は、第１表示部２３及び第２表示部２４に、撮像部１７によって撮像される画像が鏡像表示されるように制御する。
【００２８】
制御部２６は、第１筐体１２及び第２筐体１３の開閉状態に基づいて、第１指示部１５による指示と、第２指示部１６による指示とのうち、いずれか一方の指示を抑制すべく制御する。
具体的には、制御部２６は、第１筐体１２及び第２筐体１３が所定の角度で開状態にある場合（後述の図４参照）、第２指示部１６による指示を抑制しないように制御する。
また、制御部２６は、第１筐体１２及び第２筐体１３の所定の角度での開状態において、接地検出部２２により第１筐体１２及び第２筐体１３の所定の接地状態を検出した場合に、第２指示部１６による指示を抑制しないように制御する。
また、制御部２６は、第１筐体１２及び第２筐体１３の閉状態において、第２指示部１６による指示を抑制するように制御する。
更にまた、制御部２６は、ユーザの入力指示などにより第２指示部１６による指示を抑制しないように制御した場合には、第１指示部１５による指示を抑制するように制御する。
【００２９】
図２は、スマートフォン１００の平面図である。図３は、スマートフォン１００の底面図である。図４は、スマートフォン１００における一使用状態の外観斜視図である。
図２、図３に示すように、スマートフォン１００は、第１筐体１２の長辺の内側面と第２筐体１３の長辺の内側面との間にヒンジ部材３１を取り付けている。そのため、第１筐体１２と第２筐体１３とは、それぞれの長手方向を軸として回動可能である。
ヒンジ部材３１は、角度センサ３２を内蔵している。角度センサ３２は、第１筐体１２と第２筐体１３とが開いているか、その場合に所定の角度で開いているか、或いは、閉じているかを検出して、電気信号を制御部２６に与える。
なお、二つの筐体１２、１３の角度の検出には、角度センサ３２に代えて、例えば、二つの筐体１２、１３に設置された距離センサを用いてもよい。また、二つの筐体１２、１３の角度の検出には、複数の突起部と凹部を設けてもよく、任意の検出方法を適用することができる。
【００３０】
第１筐体１２には、第１表示部２３の近傍に、本実施形態の撮像部１７としての第１カメラ４１が取り付けられている。また、第１筐体１２には、第１カメラ４１の側部にマイク３３が取り付けられている。更に、第１筐体１２には、長辺側の外側面の互いに離れた位置に、本実施形態の接地検出部２２としての第１接地センサ３４、第２接地センサ３５がそれぞれ取り付けられている。
第２筐体１３には、第２表示部２４の裏面に、本実施形態の撮像部１７としての第２カメラ４２が取り付けられている。また、第２筐体１３には、長辺側の外側面の互いに離れた位置に、本発明の接地検出部２２としての第３接地センサ３６、第４接地センサ３７がそれぞれ取り付けられている。
四つの接地センサ３４、３５、３６、３７は、圧力センサであり、それらのうちの少なくとも一方の筐体１２または１３側の二つ（２点）が、例えば机等に接している場合、スマートフォン１００が据え置かれていることを検出する。逆に、四つの接地センサ３４、３５、３６、３７は、机等に接していない場合、スマートフォン１００が据え置かれていることを検出しない。各接地センサ３４、３５、３６、３７は、検出した電気信号を制御部２６に与える。
なお、机等に接しているか否かを検出する手段としては、接地センサに代えて、加速度センサによる姿勢の検出でもよく、加速度センサを２点の接地センサと組み合わせてもよい。
或いは、机等に接しているか否かを検出する手段としては、各筐体１２、１３の長辺側の２辺のそれぞれに帯状の圧力センサを設けて所定の面積の圧力を検出したら接地と判定するようにしてもよい。さらに、机等に接しているか否かを検出する手段としては、圧力センサにおいて所定の箇所の組み合わせの圧力を検出したら接地と判定する等の任意の検出方法を適用することができる。
【００３１】
第１筐体１２には、長辺側の外側面における、例えば、中央部に第１磁力センサ３８が取り付けられており、第２筐体１３には、第１磁力センサ３８に対向する長辺側の外側面における中央部に、第２磁力センサ３９が取り付けられている。
二つの磁力センサ３８、３９は、二つの筐体１２、１３の開閉を検出する。具体的には、二つの磁力センサ３８、３９は、所定の磁力を検出したら、二つの筐体１２、１３の閉状態を判定して制御部２６に電気信号を与える。これに反して、二つの磁力センサ３８、３９は、所定の磁力を検出しない場合、二つの筐体１２、１３の開状態を判定して制御部２６に電気信号を与える。
なお、これら二つの磁力センサ３８、３９は、必ずしも必要ではなく、角度センサ３２の補助的な役目を担う。
【００３２】
図４に示すように、スマートフォン１００は、例えば、第１筐体１２に対して所定の角度で第２筐体１３を開き、この状態で机等の上面に載置して使用される。
この場合、角度センサ３２は、二つの筐体１２、１３の所定の角度での開状態を検出して、制御部２６に当該開状態の電気信号が与えられる。そして、四つの接地センサ３４、３５、３６、３７は、いずれも机等に接していることにより、接地状態にあることの電気信号を制御部２６に与える。
【００３３】
図５は、スマートフォン１００による第１の撮像方法の一例を示す。図６は、スマートフォン１００による第２の撮像方法の一例を示す。図７は、スマートフォン１００による第３の撮像方法の一例を示す。図８は、スマートフォン１００による第４の撮像方法の一例を示す。図９は、スマートフォン１００による第５の撮像方法の一例を示す。図１０は、スマートフォン１００による第６の撮像方法の一例を示す。図１１は、スマートフォン１００による第７の撮像方法の一例を示す。図１２は、スマートフォン１００による第８の撮像方法の一例を示す。
また、図１３及び図１４は、スマートフォン１００の制御動作を説明するフローチャートである。
【００３４】
図５に示すように、第１の撮像方法は、ユーザＰが二つの筐体１２、１３を折り畳んで両手で持っている場合である。
二つの筐体１２、１３は、折り畳まれているために、角度センサ３２は、二つの筐体１２、１３の開状態を検出しない。また、四つの接地センサ３４、３５、３６、３７は、置かれていることを検出しない。
すなわち、図１３に示すように、ステップＳ１０１において、制御部２６によって各筐体１２、１３が開いていると判定されない。そのため、ステップＳ１０１からステップＳ１０２に移行して、ステップＳ１０２を行う。
図１４に示すように、ステップＳ１０２において、制御部２６によって各筐体１２、１３は置かれていると判定されない。そのため、ステップＳ１０２からステップＳ１０３に移行してステップＳ１０３を行う。
そして、ステップＳ１０３において、制御部２６によって、第２指示部１６による指示を抑制しない設定になっていない場合、優先モード（選択される撮影モード）は第１の撮像方法であることを判定する。そのため、ステップＳ１０３からステップＳ１０４に移行してステップＳ１０４を行う。
ステップＳ１０４において、制御部２６は、第１指示部１５をオンし、第２指示部１６をオフする。
従って、第１の撮像方法において、スマートフォン１００は、ユーザＰの操作入力部１４のシャッター操作に応じて、第１カメラ４１による手持ちの風景撮影を指示する。このとき、スマートフォン１００は、第２筐体１３の第２表示部２４に、撮像部１７が捕えた画像を表示する。
【００３５】
図６に示すように、第２の撮像方法は、ユーザＰによって二つの筐体１２、１３が（所定の角度で）開かれ、机の上に置かれている場合である。
二つの筐体１２、１３は、開かれているために、角度センサ３２は、二つの筐体１２、１３の開状態を検出している。また、四つの接地センサ３４、３５、３６、３７は、置かれていることを検出している。
すなわち、図１３に示すように、ステップＳ１０１において、制御部２６によって各筐体１２、１３が開いていると判定される。そのため、ステップＳ１０１からステップＳ１０５に移行してステップＳ１０５を行う。
ステップＳ１０５において、制御部２６によって、各筐体１２、１３は置かれていると判定される。そのため、ステップＳ１０５からステップＳ１０６に移行してステップＳ１０６を行う。
そして、ステップＳ１０６において、制御部２６によって、二つの筐体１２、１３が所定の角度での開状態であるため、優先モードは第２の撮像方法であることを判定する。そのため、ステップＳ１０６からステップＳ１０７に移行してステップＳ１０７を行う。
ステップＳ１０７において、制御部２６は、第１指示部１５をオフし、第２指示部１６をオンする。
従って、第２の撮像方法において、スマートフォン１００は、第１表示部２３を鏡像表示として第１表示部２３に第１カメラ４１の捕えた画像を表示し、手で持たない固定状態の自分撮りを指示する。そして、スマートフォン１００は、第１カメラ４１による被写体の動きに応じたシャッター操作を指示する。
【００３６】
図７に示すように、第３の撮像方法は、ユーザＰによって二つの筐体１２、１３を閉じて、片手で持っている場合である。
二つの筐体１２、１３は、閉じているために、角度センサ３２は、二つの筐体１２、１３の閉状態を検出している。また、四つの接地センサ３４、３５、３６、３７は、置かれていることを検出していない。
すなわち、図１３に示すように、ステップＳ１０１において、制御部２６によって各筐体１２、１３が開いていると判定されない。そのため、ステップＳ１０１からステップＳ１０２に移行してステップＳ１０２を行う。
図１４に示すように、ステップＳ１０２において、制御部２６によって各筐体１２、１３は置かれていると判定されない。そのため、ステップＳ１０２からステップＳ１０３に移行してステップＳ１０３を行う。
ステップＳ１０３において、制御部２６によって、第２指示部１６による指示を抑制しない設定になっている場合、優先モードは第３の撮像方法であることを判定する。そのため、ステップＳ１０３からステップＳ１０８に移行してステップＳ１０８を行う。
ステップＳ１０８において、制御部２６は、第１指示部１５をオフし、第２指示部１６をオンする。
従って、第３の撮像方法において、スマートフォン１００は、第１表示部２３を鏡像表示として第１表示部２３に第１カメラ４１の捕えた画像を表示し、手で持っている自分撮りで、被写体の動きに応じたシャッター操作を指示する。
【００３７】
図８に示すように、第４の撮像方法は、ユーザＰによって二つの筐体１２、１３が開かれ、第１筐体１２を下にして机に置き、かつ、両手で持って自分に向けている場合である。
二つの筐体１２、１３は、開いているために、角度センサ３２は、二つの筐体１２、１３の開状態を検出している。また、第１筐体１２の二つの接地センサ３４、３５は、接地しているので、置かれていることを検出している。
すなわち、図１３に示すように、ステップＳ１０１において、制御部２６によって各筐体１２、１３が開いていると判定される。そのため、ステップＳ１０１からステップＳ１０５に移行してステップＳ１０５を行う。
ステップＳ１０５において、各筐体１２、１３は置かれているために、ステップＳ１０５からステップＳ１０６に移行してステップＳ１０６を行う。
ステップＳ１０６において、制御部２６によって、二つの筐体１２、１３が所定の角度での開状態ではないため、優先モードは、第４の撮像方法であることを判定する。そのため、ステップＳ１０６からステップＳ１０９に移行してステップＳ１０９を行う。
ステップＳ１０９において、制御部２６は、第１指示部１５をオンし、第２指示部１６をオフする。
従って、第４の撮像方法において、スマートフォン１００は、固定した風景撮影であって、第２カメラ４２によるユーザＰのシャッター操作を指示する。このとき、スマートフォン１００は、第２表示部２４に第２カメラ４２の捕えた画像を表示し、第１表示部２３に操作画面を表示する。
【００３８】
図９に示すように、第５の撮像方法は、ユーザＰによって二つの筐体１２、１３が閉じられ、机等に置かれている場合である。
二つの筐体１２、１３は、閉じているために、角度センサ３２は、二つの筐体１２、１３の閉状態を検出している。また、四つの接地センサ３４、３５、３６、３７は接地しているので、置かれていることを検出している。
すなわち、図１３に示すように、ステップＳ１０１において、制御部２６によって各筐体１２、１３が開いていると判定されない。そのため、ステップＳ１０１からステップＳ１０２に移行する。
図１４に示すように、ステップＳ１０２において、各筐体１２、１３は置かれているために、ステップＳ１０２からステップＳ１１０に移行してステップＳ１１０を行う。
ステップＳ１１０において、制御部２６によって、第２指示部１６による指示を抑制しない設定になっていない場合、優先モードは第５の撮像方法であることを判定する。そのため、ステップＳ１１０からステップＳ１１１に移行してステップＳ１１１を行う。
ステップＳ１１１において、制御部２６は、第１指示部１５をオンし、第２指示部１６をオフする。
従って、第５の撮像方法において、スマートフォン１００は、固定状態で第１カメラ４１を用いる風景撮影であって、ユーザＰのシャッター操作を指示する。このとき、スマートフォン１００は、第２表示部２４に第１カメラ４１の捕えた画像を表示する。
【００３９】
図１０に示すように、第６の撮像方法は、二つの筐体１２、１３を閉じて、机等に置いている場合である。
二つの筐体１２、１３は、閉じているために、角度センサ３２は、二つの筐体１２、１３の閉状態を検出している。また、二つの接地センサ３６、３７は接地しているので、置かれていることを検出している。
すなわち、図１３に示すように、ステップＳ１０１において、制御部２６によって各筐体１２、１３は開いていると判定されない。そのため、ステップＳ１０１からステップＳ１０２に移行してステップＳ１０２を行う。
図１４に示すように、ステップＳ１０２において、各筐体１２、１３は置かれているために、ステップＳ１０２からステップＳ１１０に移行してステップＳ１１０を行う。
ステップＳ１１０において、制御部２６によって、第２指示部１６による指示を抑制しない設定になっている場合、優先モードは第６の撮像方法であることを判定する。そのため、ステップＳ１１０からステップＳ１１２に移行してステップＳ１１２を行う。
ステップＳ１１２において、制御部２６は、第１指示部１５をオフし、第２指示部１６をオンする。従って、第６の撮像方法において、スマートフォン１００は、机等に置いた魚眼撮影を、第１カメラ４１による被写体の動きに応じたタイマー撮影のシャッター操作で行うことを指示する。
【００４０】
図１１に示すように、第７の撮像方法は、二つの筐体１２、１３を開いて、片手で持っている場合である。
角度センサ３２は、二つの筐体１２、１３の開状態を検出している。また、四つの接地センサ３４、３５、３６、３７は、置かれていることを検出していない。
すなわち、図１３に示すように、ステップＳ１０１において、制御部２６によって各筐体１２、１３は開いていると判定される。そのため、ステップＳ１０１からステップＳ１０５に移行してステップＳ１０５を行う。
ステップＳ１０５において、各筐体１２、１３は置かれていないために、ステップＳ１０５からステップＳ１１３に移行してステップＳ１１３を行う。
ステップＳ１１３において、制御部２６によって、二つの筐体１２、１３が所定の角度での開状態ではないため、優先モードは第７の撮像方法であることを判定する。そのため、ステップＳ１１３からステップＳ１１４に移行してステップＳ１１４を行う。
ステップＳ１１４において、制御部２６は、第１指示部１５をオンし、第２指示部１６をオフする。
従って、第７の撮像方法において、スマートフォン１００は、第１カメラ４１による片手持ちの自分撮りであって、ユーザＰによるシャター操作を指示する。このとき、スマートフォン１００は、第１表示部２３を鏡像表示として第１カメラ４１の捕えた画像を表示し、第２表示部２４に操作画面を表示する。
【００４１】
図１２に示すように、第８の撮像方法は、二つの筐体１２、１３を開いて、両手で持っている場合である。
角度センサ３２は、二つの筐体１２、１３の開状態を検出している。また、四つの接地センサ３４、３５、３６、３７は、置かれていることを検出していない。
すなわち、図１３に示すように、ステップＳ１０１において、制御部２６によって各筐体１２、１３は開いていると判定される。そのため、ステップＳ１０１からステップＳ１０５に移行してステップＳ１０５を行う。
ステップＳ１０５において、各筐体１２、１３は置かれていないために、ステップＳ１０５からステップＳ１１３に移行してステップＳ１１３を行う。
ステップＳ１１３において、制御部２６によって、二つの筐体１２、１３が所定の角度での開状態であるため、優先モードは第８の撮像方法であることを判定する。そのため、ステップＳ１１３からステップＳ１１５に移行してステップＳ１１５を行う。
ステップＳ１１５において、制御部２６は、第１指示部１５をオフし、第２指示部１６をオンする。
従って、第８の撮像方法において、スマートフォン１００は、手持ちの人物撮影であって、被写体の動きに応じたシャター操作を指示する。このとき、スマートフォン１００は、第２表示部２４に第１カメラ４１の捕えた画像を表示する。この第８の撮像方法は、例えば、群衆の中で、群衆の頭越しに被写体を撮影する場合に好適である。
【００４２】
以上説明したように、本実施の形態のスマートフォン１００によれば、制御部２６は、各筐体１２、１３の状態に基づいて、第１指示部１５による指示を抑制するか否か、及び、第２指示部１６による指示を抑制するか否かを制御する。従って、スマートフォン１００によれば、ユーザＰによる煩雑な操作を回避して適切に制御することができる。
【００４３】
また、本実施の形態のスマートフォン１００によれば、制御部２６は、各筐体１２、１３の開閉状態に基づいて第２指示部１６による指示を抑制するか否かを制御するために、ユーザＰの要望に合う指示を行うことができる。
【００４４】
そして、本実施の形態のスマートフォン１００によれば、制御部２６は、各筐体１２、１３が所定の角度で開状態の場合に、第２指示部１６による指示を抑制しないように制御するために、ユーザＰの要望に合う指示を行うことができる。
【００４５】
そしてまた、本実施の形態のスマートフォン１００によれば、制御部２６は、各筐体１２、１３が所定の角度での開状態において接地検出部２２により各筐体１２、１３の所定の接地状態を検出した場合に、第２指示部１６による指示を抑制しないように制御する。
従って、スマートフォン１００によれば、ユーザＰによる煩雑な操作を確実に回避できる。
【００４６】
そしてさらに、本実施の形態のスマートフォン１００によれば、制御部２６は、各筐体１２、１３の閉状態の場合に第２指示部１６による指示を抑制するように制御するために、ユーザＰの要望に合う指示を行うことができる。
【００４７】
加えて、本実施の形態のスマートフォン１００によれば、制御部２６は、ユーザの入力指示などにより第２指示部１６による指示を抑制しないように制御した場合に第１指示部１５による指示を抑制するように制御するために、ユーザＰの要望に合う指示を行うことができる。
【００４８】
また、本実施の形態のスマートフォン１００によれば、第２指示部１６は、動き検出部１８によって、被写体の所定の動きを検出した場合に、撮像部１７による撮像を実行するように指示するために、シャッターチャンスを逃さないようにすることができる。
【００４９】
そして、本実施の形態のスマートフォン１００によれば、第２指示部１６は、計時部１９によって所定時間が経過した場合に撮像部１７による撮像を実行するように指示するために、タイマー撮影を確実に行うことができる。
【００５０】
そしてまた、本実施の形態のスマートフォン１００によれば、第２指示部１６は、表情検出部２０によって、被写体の所定の表情を検出した場合に、撮像部１７による撮像を実行するように指示するために、ジェスチャー撮影を確実に行うことができる。
【００５１】
さらに、本実施の形態のスマートフォン１００によれば、第２指示部１６は、被写体特定部２１によって所定の被写体を特定した場合に撮像部１７による撮像を実行するように指示するために、特定の被写体を選択した撮影を行うことができる。
【００５２】
さらにまた、本実施の形態のスマートフォン１００によれば、開閉可能な二つの筐体１２、１３のそれぞれに、閉状態になったときに外側になる面に各表示部２３、２４を備え、また、撮像部１７は、上記外側になる面の一方、および、上記閉状態になったときに内側になる面の一方に備えられている。従って、スマートフォン１００によれば、ユーザＰに対して新しい取り扱い性を提供できる。
【００５３】
加えて、本実施の形態のスマートフォン１００によれば、表示制御部２５は、各表示部２３、２４に、撮像部１７によって撮像される画像が鏡像表示されるように制御するために、自分撮りを容易に行うことができる。
【００５４】
また、本実施の形態のスマートフォン１００によれば、表示制御部２５は、操作入力部１４によって表示部２３または２４を指示する操作が入力された場合に撮像部１７によって撮像される画像の表示部２３または２４への表示の切り替えを制御する。従って、スマートフォン１００によれば、ユーザＰの要望に合う指示を行うことができる。
【００５５】
そして、本実施の形態の撮像方法によれば、スマートフォン１００によって、ユーザＰによる煩雑な操作を回避して適切に制御することができる。
【００５６】
さらに、本実施の形態のプログラムによれば、ユーザＰによる煩雑な操作を回避して適切に制御することができる。
【００５７】
なお、撮像装置、撮像方法及びプログラムは、前述した一実施形態に限定するものでなく、適宜な変形や改良等が可能である。
【００５８】
図１５は、スマートフォン１００の最小構成の一例を示す。スマートフォン１００は、筐体、撮像部１７、操作入力部１４と、第１指示部１５、第２指示部１６及び制御部２６を少なくとも備える。
【００５９】
この出願は、２０１３年３月６日に出願された日本出願特願２０１３−０４３８２１号を基礎とする優先権を主張し、その開示の全てをここに取り込む。
【産業上の利用可能性】
【００６０】
この発明によっては、ユーザによる煩雑な操作を回避して、適切な撮像制御を行うことができる。
【符号の説明】
【００６１】
１２  第１筐体
１３  第２筐体
１４  操作入力部
１５  第１指示部
１６  第２指示部
１７  撮像部
１８  動き検出部
１９  計時部
２０  表情検出部
２１  被写体特定部
２２  接地検出部
２３  第１表示部
２４  第２表示部
２５  表示制御部
２６  制御部
１００  スマートフォン
【図１】
2014136521.tif 000003
【図２】
2014136521.tif 000004
【図３】
2014136521.tif 000005
【図４】
2014136521.tif 000006
【図５】
2014136521.tif 000007
【図６】
2014136521.tif 000008
【図７】
2014136521.tif 000009
【図８】
2014136521.tif 000010
【図９】
2014136521.tif 000011
【図１０】
2014136521.tif 000012
【図１１】
2014136521.tif 000013
【図１２】
2014136521.tif 000014
【図１３】
2014136521.tif 000015
【図１４】
2014136521.tif 000016
【図１５】
2014136521.tif 000017
【国際調査報告】
2014136521.tif 000018
2014136521.tif 000019
2014136521.tif 000020
2014136521.tif 000021